(57)【要約】【課題】照度センサの異常を把握することが可能な発光ユニットおよび空気調和装置を提供する。【解決手段】発光ユニット９は、ＬＥＤ６１と、ＬＥＤ６１が照らす対象空間の照度を検知する照度センサ６２と、照度センサ６２の検知結果に応じてＬＥＤ６１を発光させる光源基板６０ａと、を備え、光源基板６０ａは、対象空間における複数の時間帯について予め定められた基準照度と、照度センサ６２の検知結果と、に基づいて照度センサ６２の異常を判定する。【選択図】図１１
2019133796.tif 000002
【特許請求の範囲】
【請求項１】
光源部（６１）と、
前記光源部が照らす対象空間の照度を検知する照度センサ（６２）と、
前記照度センサの検知結果に応じて前記光源部を発光させる制御部（６０ａ、７３、７０）と、
を備え、
前記制御部は、前記対象空間における複数の時間帯について予め定められた基準照度と、前記照度センサの検知結果と、に基づいて前記照度センサの異常を判定する、
発光ユニット（９）。
【請求項２】
前記制御部は、複数種類の前記基準照度の中から所定条件に基づいて選択した前記基準照度を用いて前記照度センサの異常を判定する、
請求項１に記載の発光ユニット。
【請求項３】
前記基準照度の入力を受け付ける受付部を有する、
請求項１または２に記載の発光ユニット。
【請求項４】
前記制御部は、季節情報、日の出時刻情報、日の入り時刻情報の少なくともいずれか１つによる照度の違いが反映された前記基準照度を用いて前記照度センサの異常を判定する、
請求項１から３のいずれか１項に記載の発光ユニット。
【請求項５】
請求項１から４のいずれか１項に記載の発光ユニット（９）が設けられた空調室内ユニット（３）と、
前記空調室内ユニットと共に冷媒回路（６）を構成する空調室外ユニット（２）と、
を備えた空気調和装置（１）。
【発明の詳細な説明】
【技術分野】
【０００１】
本開示は、発光ユニットおよび空気調和装置に関する。
【背景技術】
【０００２】
従来より、対象空間を照らすライトとして、例えば、特許文献１（特開２０１５−２１０９３４号）に記載されているように、照度センサと光源を備えており、対象空間の照度に応じて光源の光量が制御される照明器具がある。
【発明の概要】
【発明が解決しようとする課題】
【０００３】
このような、照度センサの検知照度を用いて光源の光量が制御される場合においては、照度センサに異常があり、検知照度が誤っている場合には、光源の意図した制御ができなくなってしまうおそれがある。特に、照度センサによってなんらかの検知照度が得られる場合には、正しい照度を検知できているのか、異常が生じており正しい照度を検知できていないのか、を把握することができない。
【０００４】
本開示は、上述した点に鑑みてなされたものであり、本開示における課題は、照度センサの異常を把握することが可能な発光ユニットおよび空気調和装置を提供することにある。
【課題を解決するための手段】
【０００５】
第１観点に係る発光ユニットは、光源部と、照度センサと、制御部と、を備えている。照度センサは、光源部が照らす対象空間の照度を検知する。制御部は、照度センサの検知結果に応じて光源部を発光させる。制御部は、対象空間における複数の時間帯について予め定められた基準照度と、照度センサの検知結果と、に基づいて照度センサの異常を判定する。
【０００６】
なお、対象空間における複数の時間帯について予め定められた基準照度としては、光源部が発光していない状態での基準照度であってもよいし、光源部が発光した状態での基準照度であってもよい。
【０００７】
この発光ユニットでは、照度センサの検知結果を、複数の時間帯について予め定められた基準照度と比較することにより、時間帯に応じて照度が変化する対象空間で用いられる場合であっても、発光ユニットの本来検知すべき照度を検知できているか否かを把握することが可能となる。これにより、照度センサの異常を把握することが可能となる。
【０００８】
第２観点に係る発光ユニットは、第１観点に係る発光ユニットであって、制御部は、複数種類の基準照度の中から所定条件に基づいて選択した基準照度を用いて照度センサの異常を判定する。
【０００９】
この発光ユニットでは、照度センサの異常を判断するに際して比較される基準照度を、複数種類の中から所定条件に基づいて選択して用いるため、照度センサの異常をより正確に把握することが可能となる。
【００１０】
第３観点に係る発光ユニットは、第１観点または第２観点に係る発光ユニットであって、基準照度の入力を受け付ける受付部を有する。
【００１１】
この発光ユニットでは、照度センサの異常の判断において、受付部から入力した基準照度を用いることが可能となる。
【００１２】
第４観点に係る発光ユニットは、第１観点から第３観点のいずれかに係る発光ユニットであって、制御部は、季節情報、日の出時刻情報、日の入り時刻情報の少なくともいずれか１つによる照度の違いが反映された基準照度を用いて照度センサの異常を判定する。
【００１３】
この発光ユニットでは、季節情報、日の出時刻情報、日の入り時刻情報の少なくともいずれか１つによる照度の違いが反映された基準照度を用いて照度センサの異常を判定するため、照度センサの異常をより正確に把握することが可能となる。
【００１４】
第５観点に係る空気調和装置は、第１観点から第４観点のいずれかに係る発光ユニットが設けられた空調室内ユニットと、空調室外ユニットと、を備えている。空調室外ユニットは、空調室内ユニットと共に冷媒回路を構成する。
【００１５】
この空気調和装置では、時間帯に応じて照度が異なる対象空間の空調を行うことと、照度センサの異常を把握することとの両方が可能になる。
【図面の簡単な説明】
【００１６】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】発光ユニットの概略分解斜視図である。
【図６】上部ケーシングを斜め下方から見た外観概略斜視図である。
【図７】下部ケーシングを斜め上方から見た外観概略斜視図である。
【図８】カバーレンズを斜め上方から見た外観概略斜視図である。
【図９】空気調和装置の概略制御ブロック構成図である。
【図１０】ＬＥＤおよびブザーの制御フローチャートである。
【図１１】照度センサの異常判定処理のフローチャートである。
【発明を実施するための形態】
【００１７】
（１）空気調和装置の構成
図１に、空気調和装置１の概略構成図を示す。
【００１８】
空気調和装置１は、蒸気圧縮式の冷凍サイクルを行うことによって、建物等の室内の冷房および暖房を行うことが可能な装置である。
【００１９】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２０】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２１】
アキュムレータ７は、ガス冷媒を圧縮機に供給するための容器であり、圧縮機８の吸入側に設けられている。
【００２２】
圧縮機８は、低圧のガス冷媒を吸入し、圧縮して高圧のガス冷媒を吐出する。
【００２３】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００２４】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００２５】
室外ユニット２の液側閉鎖弁１３には、液冷媒連絡管４の一端が接続されている。室外ユニット２のガス側閉鎖弁１４には、ガス冷媒連絡管５の一端が接続されている。
【００２６】
室外ユニット２の各機器および弁間は、冷媒管１６〜２２によって接続されている。
【００２７】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００２８】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００２９】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３０】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３１】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、室内ケーシング３０と、フラップ３９と、ベルマウス３３と、ドレンパン３２と、室内制御部７３と、を有し、後述する発光ユニット９が設けられている。
【００３２】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３３】
室内ファン５２は、室内ユニット３のケーシング本体３１の内部に配置された遠心送風機である。室内ファン５２は、室内の空気を後述する化粧パネル３５の吸込口３６を通じて室内ケーシング３０内に吸入し、室内熱交換器５１を通過させた後、化粧パネル３５の吹出口３７を通じて室内ケーシング３０外へ吹き出す空気流れを形成する。このように、室内ファン５２によって供給される室内空気は、室内熱交換器５１の冷媒と熱交換することにより温度が調節される。
【００３４】
室内ケーシング３０は、ケーシング本体３１と、化粧パネル３５と、を主として有している。
【００３５】
ケーシング本体３１は、空調対象空間である室内の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００３６】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００３７】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、室内ケーシング３０の所定の位置において回動可能に軸支されている。
【００３８】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００３９】
室内制御部７３は、室外制御部７２と、後述する集合ユニット６０の光源基板６０ａとリモコン７４のリモコン基板７４ａと通信可能に接続されることで構成される制御部７０の一部を構成しており、ＣＰＵ、ＲＯＭ、ＲＡＭ等を有している。室内制御部７３は、室内ファン５２の風量を制御する。
【００４０】
（４）発光ユニット
図５に、発光ユニット９の概略分解斜視図を示す。
【００４１】
発光ユニット９は、室内等の対象空間を区画する天井または壁面に対して固定して用いられるものであり、集合ユニット６０、人検知センサ６４、ユニットケーシング９０等を備えている。
【００４２】
（４−１）集合ユニット
集合ユニット６０は、対象空間の照度を検知して光および／または音を発するための複数の電子部品によって構成されたユニットであり、光源基板６０ａと、光源基板６０ａに実装されたＬＥＤ６１、照度センサ６２およびブザー６３を備えている。集合ユニット６０は、ユニットケーシング９０内部に収容される。
【００４３】
光源基板６０ａは、室内ユニット３のケーシング本体３１の内側に位置している室内制御部７３と、通信線および電源供給線を含んで構成される電気配線を介して接続された制御基板であり、ＣＰＵ、ＲＯＭ、ＲＡＭ等を有して構成されている。このＬＥＤ６１と照度センサ６２とブザー６３が実装された光源基板６０ａは、後述するユニットケーシング９０の内部に収容されている。なお、ＬＥＤ６１と照度センサ６２とブザー６３とは、いずれも同じ光源基板６０ａに実装されることで、基板を１つにまとめて、コンパクト化を図ることができている。
【００４４】
ＬＥＤ６１は、光源基板６０ａの下面に実装されており、室内ユニット３が空調対象とする対象空間を照らすＬｉｇｈｔ Ｅｍｉｔｔｉｎｇ Ｄｉｏｄｅである。具体的には、ＬＥＤ６１は、下方に向けて発した光が、後述するユニットケーシング９０の発光用開口８５とカバーレンズ９０ａを透過して、室内を照らすように設置されている。
【００４５】
照度センサ６２は、光源基板６０ａの下面に実装されており、室内ユニット３が空調対象とする対象空間の照度を検知する。特に限定されないが、照度センサ６２は、例えば、フォトトランジスタ等によって構成される。照度センサ６２は、室内の明かりであって後述するユニットケーシング９０の中央開口８２を通過した明かり（光）を検知する。
【００４６】
ブザー６３は、光源基板６０ａの下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、後述するユニットケーシング９０の中央開口８２を通過して室内に伝えられるように設置されている。
【００４７】
（４−２）人検知センサ
人検知センサ６４は、対象空間における人の在不在を検知するセンサであって、特に限定されないが、例えば、赤外線カメラ等によって構成されている。人検知センサ６４は、対象空間側に向けて膨出した平面視円形の膨出検知部６４ａを有している。人検知センサ６４は、ユニットケーシング９０内部において、集合ユニット６０と同程度の高さ位置において収容される。人検知センサ６４の膨出検知部６４ａは、後述するユニットケーシング９０の下部人検知用開口８４およびレンズ部人検知用開口８１を介して対象空間側に突出するようにして設けられている。人検知センサ６４は、室内ユニット３のケーシング本体３１の内側に位置している室内制御部７３と、通信線および電源供給線を含んで構成される電気配線を介して接続されている。
【００４８】
（４−３）ユニットケーシング
ユニットケーシング９０は、内部に集合ユニット６０と人検知センサ６４を収容する容器であり、カバーレンズ９０ａと、下部ケーシング９０ｂと、上部ケーシング９０ｃと、を有している。集合ユニット６０と人検知センサ６４とは、発光ユニット９の設置状態において、上方（天井側）から上部ケーシング９０ｃによって、下方（対象空間側）から下部ケーシング９０ｂによって、上下から挟まれるようにして、ユニットケーシング９０内に収容される。カバーレンズ９０ａは、下部ケーシング９０ｂに対して下方から取り付けられることで、発光ユニット９の室内側の部分を構成する。
【００４９】
図６に、上部ケーシング９０ｃを斜め下方から見た外観概略斜視図を示す。図７に、下部ケーシング９０ｂを斜め上方から見た外観概略斜視図を示す。図８に、カバーレンズ９０ａを斜め上方から見た外観概略斜視図を示す。
【００５０】
上部ケーシング９０ｃは、集合ユニット６０と人検知センサ６４を上方から覆いつつ、発光ユニット９を天井に対して設置するための半透明樹脂ケーシングである。上部ケーシング９０ｃは、上部ケーシング本体９３と、配線用開口９１と、第１固定用ネジ穴９５ａと、第２固定用ネジ穴９５ｂと、を有している。上部ケーシング本体９３は、天面９３ａと、上部側面９３ｂと、を有している。天面９３ａは、平面視略四角形状の板状部材であり、発光ユニット９の上端面を構成している。上部側面９３ｂは、天面９３ａの周縁部から斜め下方に向けて広がるように延びており、発光ユニット９の上方側面を構成している。配線用開口９１は、天面９３ａの背面寄りにおいて上下方向である板厚方向に貫通して形成された開口であり、集合ユニット６０や人検知センサ６４から延びる電気配線が通過する開口である。第１固定用ネジ穴９５ａと第２固定用ネジ穴９５ｂは、天面９３ａのうち配線用開口９１が設けられている側とは反対側（前面寄り）において互いに離れた位置に設けられ、上下方向である板厚方向に貫通して形成された開口であり、図示しないネジが挿入されることで上部ケーシング９０ｃひいては発光ユニット９を天井等の壁面に固定するための開口である。なお、発光ユニット９が施工される天井等の壁のうち、配線用開口９１が設けられている位置に対応する箇所には、穴が開けられることで、天井裏や壁面裏に集合ユニット６０や人検知センサ６４から延びる電気配線が引きまわされることになる。
【００５１】
下部ケーシング９０ｂは、集合ユニット６０と人検知センサ６４を下方から覆いつつ、これらを内部に収容するための半透明樹脂ケーシングである。下部ケーシング９０ｂは、略水平に広がった下部ケーシング本体８３と、中央開口８２と、下部人検知用開口８４と、発光用開口８５と、発光経路面８５ａと、を有している。下部ケーシング本体８３は、平面視において、上部ケーシング９０ｃの輪郭に対応した形状を有している。下部ケーシング本体８３は、主面８３ａと、下部側面８３ｂと、を有している。主面８３ａは、平面視略四角形状の板状部材であり、略水平方向に広がっている。下部側面８３ｂは、主面８３ａの周縁部から上方に向けて僅かに延びだしている。なお、詳細は省略するが、下部ケーシング９０ｂと上部ケーシング９０ｃとは、互いに嵌合可能な形状関係を有している。中央開口８２は、下部ケーシング本体８３の主面８３ａの平面視における中央近傍において上下に貫通した開口である。中央開口８２の下方には下方に向かうほど広がるように形成された筒状の中央開口用壁面８２ａが設けられている。中央開口８２は、集合ユニット６０が設置された状態で、中央開口８２の上部に照度センサ６２およびブザー６３が位置することとなる。下部人検知用開口８４は、下部ケーシング本体８３の主面８３ａの平面視において、中央開口８２とは異なる位置に設けられ、上下方向に貫通した開口である。下部ケーシング９０ｂの所定位置６４Ｓに人検知センサ６４が配置されると、人検知センサ６４の膨出検知部６４ａは下部人検知用開口８４に位置することとなる。発光用開口８５は、下部ケーシング本体８３の主面８３ａの平面視において、中央開口８２に対する下部人検知用開口８４側とは反対側に設けられ、上下方向に貫通した開口である。下部ケーシング９０ｂの所定位置６０Ｓに集合ユニット６０が配置されると、ＬＥＤ６１が発光用開口８５の上方に位置することとなり、照度センサ６２およびブザー６３が中央開口８２の上方に位置することとなる。なお、発光経路面８５ａは、発光用開口８５の下方において、下方に向かうほど広がるように形成された筒状部分である。
【００５２】
カバーレンズ９０ａは、下部ケーシング９０ｂの下面に対して固定される透明樹脂レンズである。カバーレンズ９０ａは、略水平に広がったカバーレンズ本体８０と、レンズ部人検知用開口８１と、レンズ固定突起８０ａと、レンズ固定爪８０ｂと、を有している。カバーレンズ本体８０は、平面視において、下部ケーシング９０ｂの主面８３ａの下面の輪郭に対応した形状を有している。レンズ部人検知用開口８１は、カバーレンズ本体８０において、人検知センサ６４の膨出検知部６４ａに対応する箇所が板厚方向に開口することで形成されている。レンズ固定突起８０ａは、カバーレンズ本体８０の４角において上部に向けて突出するように設けられている。レンズ固定爪８０ｂは、カバーレンズ本体８０のレンズ部人検知用開口８１の外側と、これの反対側の端部において、上部に突出するように設けられた爪部である。カバーレンズ９０ａは、レンズ固定突起８０ａとレンズ固定爪８０ｂを介して、下部ケーシング９０ｂに固定される。
【００５３】
（５）リモコン
図９に、空気調和装置１の制御ブロック構成図を示す。
【００５４】
室内ユニット３が空調を行う対象空間には、リモコン７４が設けられている。
【００５５】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、リモコンメモリ７４ｄと、を有している。また、リモコン７４は、図示しないタイマーを備えており、日時および時刻を把握することができる。
【００５６】
入力部７４ｂは、ユーザからの各種設定を受け付ける。
【００５７】
ディスプレイ７４ｃは、空気調和装置１の運転状態や設定温度や各種異常の状態等の表示出力が可能である。
【００５８】
リモコンメモリ７４ｄは、後述する照度センサ６２の異常を判断するための比較基準となる基準照度の情報が複数種類格納されている。具体的には、対象空間の基本情報である採光面の向き（東西南北）、採光面の大きさ毎に異なる基準照度であって、季節および時間帯毎によっても異なる基準照度が格納されている。
【００５９】
（６）制御部
空気調和装置１は、室外制御部７２と、リモコン基板７４ａと、室内制御部７３と、光源基板６０ａと、によって構成された制御部７０を有している。
【００６０】
具体的には、室外制御部７２は、圧縮機８、四路切換弁１０、室外膨張弁１２、室外ファン１５等の制御が可能なように接続されている。室内制御部７３は、人検知センサ６４からの信号および光源基板６０ａからの各種信号を受信可能であり、室内ファン５２の制御が可能なように接続されている。光源基板６０ａは、照度センサ６２からの信号を受信可能であり、ＬＥＤ６１やブザー６３等の制御が可能なように接続されている。リモコン基板７４ａは、入力部７４ｂからの信号を受信可能であり、ディスプレイ７４ｃに各種の表示出力が可能なように接続されている。
【００６１】
空気調和装置１の各種制御動作や情報処理は、当該制御部７０が実行する。
【００６２】
（７）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６３】
（７−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００６４】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００６５】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００６６】
（７−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００６７】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００６８】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００６９】
（８）ＬＥＤおよびブザーの通常制御
図１０に、ＬＥＤ６１およびブザー６３の通常制御フローチャートを示す。
【００７０】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。これにより、ＬＥＤ６１の点灯やブザー６３からの警告音の出力を、特定の時間帯に限って行わせること等が可能となり、当該特定の時間帯における防犯効果が得られる。ここで、所定の時間条件を満たすと判断した場合にはステップＳ１１に移行し、所定の時間条件を満たさないと判断した場合にはステップＳ１０を繰り返す。
【００７１】
ステップＳ１１では、室内制御部７３が室内の照度が予め定めた所定照度以下であるか否かを判断する。具体的には、室内制御部７３は、光源基板６０ａを介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７２】
ステップＳ１２では、室内制御部７３が室内に人が存在しているか否かを判断する。具体的には、室内制御部７３は、人検知センサ６４からの検知信号を受信することで、室内における人の存在の有無を判断する。人が存在すると判断した場合にはステップＳ１３に移行し、人が存在しないと判断した場合にはステップＳ１０に戻る。
【００７３】
ステップＳ１３では、室内制御部７３は、制御時の発光条件（ステップＳ１０〜１２）を満たすと判断し、ＬＥＤ６１を発光させるための信号及びブザー６３に警告音を出させるための信号を送信する。具体的には、室内制御部７３は、光源基板６０ａに向けて、ＬＥＤ６１を発光させるための制御信号を送信し、ブザー６３に警告音を出させるように制御信号を送信する。これにより、当該制御信号を受信した光源基板６０ａが、ＬＥＤ６１を発光させ、ブザー６３に警告音を出させるように、ＬＥＤ６１およびブザー６３を制御する。
【００７４】
ステップＳ１４では、室内制御部７３は照度センサ６２が検知する照度が変化したか否かを判断する。具体的には、室内制御部７３は、ステップＳ１３においてＬＥＤ６１を発光させるための制御信号を送信する前と後とで照度センサ６２が検知する照度が変化したか否かを判断する。ここで、照度センサ６２が検知する照度が変化したと判断した場合にはステップＳ１６に移行し、変化していないと判断した場合にはステップＳ１５に移行する。
【００７５】
ステップＳ１５では、室内制御部７３は、ＬＥＤ６１が異常であると判断し、リモコン７４のディスプレイ７４ｃに対して、ＬＥＤ６１が異常であることを示す所定の異常コードを表示出力させる。
【００７６】
ステップＳ１６では、室内制御部７３は、ＬＥＤ６１を発光させ、ブザー６３に警告音を出させるように制御信号を送信してから所定時間が経過したか否かを判断する。ここで、所定時間としては特に限定されないが、例えば、１分以上５分未満の所定の時間長さとすることができる。所定時間が経過したと判断した場合にはステップＳ１７に移行し、所定時間が経過していないと判断した場合には所定時間が経過するまでＬＥＤ６１の発光およびブザー６３からの警告音の出力を続ける。
【００７７】
ステップＳ１７では、室内制御部７３は、ＬＥＤ６１の発光を停止させ、ブザー６３から警告音も止めて、ステップＳ１０に戻り、上記処理を繰り返す。
【００７８】
（９）照度センサの異常判定処理
図１１に、照度センサ６２の異常判定処理のフローチャートを示す。
【００７９】
ステップＳ２０では、室内制御部７３は、リモコン７４の入力部７４ｂを介してユーザからの対象空間の基本情報の受付を行う。具体的には、発光ユニット９が施工されている対象空間の採光面の向きや、採光面の大きさ等の情報を受け付ける。
【００８０】
ステップＳ２１では、室内制御部７３は、照度センサ６２の異常についての所定の判定実行条件を満たしたか否かを判断する。当該判定実行条件としては、特に限定されないが、例えば、所定周期となった時点、または、ＬＥＤ６１の点灯積算時間が所定時間に達した時点等とすることができ、リモコン７４の入力部７４ｂを介して設定することができる。当該所定の判定実行条件を満たした場合には、ステップＳ２２に移行する。
【００８１】
ステップＳ２２では、室内制御部７３は、ステップＳ２１において所定の判定実行条件を満たした時点における季節と、複数の時刻（例えば、所定の判定実行条件を満たした時点の時刻である第１時刻と、当該時刻（第１時刻）から２４時間以内の所定時間（例えば、１０時間）だけ進んだ第２時刻）を特定する。具体的には、室内制御部７３は、リモコン７４が有している日時時刻把握機能を用いて、季節および時刻を特定する。
【００８２】
ステップＳ２３では、室内制御部７３は、リモコン７４のリモコンメモリ７４ｄに格納されている複数種類の基準照度の情報から、ステップＳ２０で受け付けた対象空間の基本情報と、ステップＳ２２で特定した季節および各時刻と、に対応する基準照度の情報を時刻毎に選択する（上記例では、対象空間の基本情報と季節と第１時刻に対応する基準照度の情報と、対象空間の基本情報と季節と第２時刻に対応する基準照度の情報と、を選択する）。
【００８３】
ステップＳ２４では、室内制御部７３は、ステップＳ２２で把握した複数の時刻それぞれにおける照度センサ６２の検知照度を把握する。なお、室内制御部７３は、ここでの照度センサ６２の検知照度の把握時に、ＬＥＤ６１が点灯していない状態を確保することが好ましい。
【００８４】
ステップＳ２５では、室内制御部７３は、ステップＳ２４で把握した照度センサ６２の複数の時刻毎の検知照度と、ステップＳ２３で選択した複数の時刻毎の基準照度と、を比較し、差異が小さいか否かを判断する。具体的には、室内制御部７３は、時刻毎について照度センサ６２の検知照度と選択された基準照度との差の大きさが、いずれも所定値以下であるか否かを判断する。ここで、照度センサ６２の検知照度と選択された基準照度との差異が大きいと判断された場合には、ステップＳ２６に移行し、差異が小さいと判断された場合には、ステップＳ２７に移行する。
【００８５】
ステップＳ２６では、室内制御部７３は、照度センサ６２が異常であると判断し、リモコン７４のディスプレイ７４ｃに対して、照度センサ６２が異常であることを示す所定の異常コードを表示出力させる。
【００８６】
ステップＳ２７では、室内制御部７３は、照度センサ６２は正常であると判断し、次回の判定実行時期まで待機する。
【００８７】
（１０）特徴
（１０−１）
本実施形態の発光ユニット９およびこれを有する室内ユニット３を備えた空気調和装置１では、照度センサ６２の異常判定処理において、複数の時刻の照度センサ６２の検知照度と、複数の時刻の基準照度と、を比較している。このため、時刻に応じて照度が変化する対象空間で発光ユニット９が用いられる場合であっても、発光ユニット９の本来検知すべき照度を検知できているか否かを把握することが可能となるため、照度センサ６２の異常を把握することができる。
【００８８】
これにより、照度センサ６２の異常を把握できるため、例えば、昼間等の比較的明るい時間帯で不必要であるにもかかわらずＬＥＤ６１が点灯してしまうことを避けることができる。
【００８９】
（１０−２）
本実施形態の発光ユニット９およびこれを有する室内ユニット３を備えた空気調和装置１では、照度センサ６２の異常判定処理を行う際に、複数種類の基準照度の中から発光ユニット９が施工されている対象空間の基本情報（採光面の方角や広さ等）に対応するものを選択して、照度センサ６２の検知照度との比較に用いている。このため、照度センサ６２の異常をより正確に把握することができる。
【００９０】
（１０−３）
本実施形態の発光ユニット９およびこれを有する室内ユニット３を備えた空気調和装置１では、照度センサ６２の異常判定処理を行う際に、複数種類の基準照度の中から、判定処理を行う時点での季節に関する情報を加味した基準照度を比較対象として選択している。このため、季節に応じた太陽からの日差しの角度の違いを基準照度に反映させることができ、照度センサ６２の異常をより正確に把握することが可能となっている。
【００９１】
（１０−４）
本実施形態の空気調和装置１では、室内ユニット３に発光ユニット９が設けられている。このため、時間帯に応じて照度が変化する対象空間に設けられた発光ユニット９の照度センサ６２の異常を把握することが可能となるだけでなく、時間帯に応じて照度が異なることで気温が変化しうる対象空間の温度を調節することも可能となる。
【００９２】
（１０−５）
本実施形態の発光ユニット９およびこれを有する室内ユニット３を備えた空気調和装置１では、照度センサ６２の異常を、リモコン７４のディスプレイ７４ｃに表示出力させている。これにより、施工者が異常を容易に把握することができる。
【００９３】
（１１）変形例
（１１−１）変形例Ａ
上記実施形態では、照度センサ６２の異常判定による結果を異常コードとしてリモコン７４のディスプレイ７４ｃに表示出力させる場合を例に挙げて説明した。
【００９４】
これに対して、照度センサ６２の異常判定による結果を表示出力する対象は、リモコン７４に限られず、例えば、室内ユニット３や室外ユニット２において表示出力部を備えている場合には、当該表示出力部において出力させるようにしてもよい。
【００９５】
（１１−２）変形例Ｂ
上記実施形態では、照度センサ６２の異常判定を主として室内制御部７３が行う場合を例に挙げて説明した。
【００９６】
しかし、照度センサ６２の異常判定を行う主体としては、室内制御部７３の代わりに、光源基板６０ａが行うようにしてもよい。この場合には、光源基板６０ａが、リモコン７４のリモコンメモリ７４ｄに格納されている各種情報を読み取って、上記実施形態と同様に判断処理を行い、各種報知の信号を光源基板６０ａがリモコン７４のディスプレイ７４ｃ等に対して送信することになる。
【００９７】
（１１−３）変形例Ｃ
上記実施形態では、リモコン７４のリモコンメモリ７４ｄに予め複数種類の基準照度を格納しておき、当該複数種類の基準照度の中から対象空間の基本情報や判定を行う季節、時刻に対応するものを選択して、照度センサ６２の検知照度と比較することで、照度センサ６２の異常を判断する場合を例に挙げて説明した。
【００９８】
これに対して、照度センサ６２の検知照度と比較するための基準照度の情報は、例えば、ユーザがリモコン７４の入力部７４ｂを介して具体的な数値を入力できるようにしてもよい。また、発光ユニット９自体にそのような数値の入力を受け付け可能な受付部を設けてもよい。これにより、ユーザは、自らの視覚で把握した現場の照度のおおよその値を入力し、照度センサ６２の検知照度と比較させることができる。
【００９９】
（１１−４）変形例Ｄ
上記実施形態では、複数種類の基準照度として、季節に応じた基準照度を用いる場合を例に挙げて説明した。
【０１００】
これに対して、季節に応じた基準照度の変わりに、日の出時刻および／または日の入り時刻に応じた基準照度を用いるようにしてもよい。
【０１０１】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１０２】
１  空気調和装置
２  室外ユニット（空調室外ユニット）
３  室内ユニット（空調室内ユニット）
６  冷媒回路
９  発光ユニット
１１  室外熱交換器
３５  化粧パネル
５１  室内熱交換器
５５  人検知センサ
６０  集合ユニット
６０ａ  光源基板（制御部）
６１  ＬＥＤ（光源部）
６２  照度センサ
６３  ブザー
７０  制御部
７２  室外制御部
７３  室内制御部（制御部）
７４  リモコン
７４ａ  リモコン基板
７４ｃ  ディスプレイ
【先行技術文献】
【特許文献】
【０１０３】
【特許文献１】特開２０１５−２１０９３４号公報
【図１】
2019133796.tif 000003
【図２】
2019133796.tif 000004
【図３】
2019133796.tif 000005
【図４】
2019133796.tif 000006
【図５】
2019133796.tif 000007
【図６】
2019133796.tif 000008
【図７】
2019133796.tif 000009
【図８】
2019133796.tif 000010
【図９】
2019133796.tif 000011
【図１０】
2019133796.tif 000012
【図１１】
2019133796.tif 000013